(57)【要約】      （修正有）【課題】ホテルや病院では、脱臭・細菌等の防カビ・防菌の必要性がある。脱臭器  液晶電波時計  音響装置と個々にはあるが、全てを一つに装備したものは見当たらない。そこで、先の香気装置に、オゾン、光触媒、イオン、ゼオライト、活性炭の少なくとも１つ以上を組み合わせた脱臭機構を付加した装置を提供する。【解決手段】カード表面のマイクロカプセル化した香りの微粒子を、ブラシで破壊し香りを発生させ、まず香りで心身をリラックスさせ、次に装置の前面に内蔵した音響装置２より、アルファー波を誘発し、更に、オゾン脱臭器を追設して、部屋に充満している数々の臭いをオゾンで取り除き、且つ雑菌も消去させ綺麗な空間を作り出すことが可能となり、更に清浄化された環境で香料微粒子を拡散することにより、よりアロマテラピー効果を高めることが出来る。【選択図】図３
0003139515.tif 000002
【実用新案登録請求の範囲】
【請求項１】
マイクロカプセルに充填した香料微粒子を付着させたカードと、同カードに付着させた上記マイクロカプセルを破壊して、該マイクロカプセルに充填した香料微粒子を拡散する機構に、脱臭機構を追設したことを特徴とする香料拡散及び抗菌脱臭装置。
【請求項２】
上記脱臭機構が、オゾン、光触媒、イオン、ゼオライト、活性炭の少なくとも１つ以上を組み合わせた機構を具備してなることを特徴とする請求項１に記載の香料拡散及び抗菌脱臭装置。
【請求項３】
予め収録されたアルファー波発生を促す音響装置を具備してなることを特徴とする請求項１に記載の香料拡散及び抗菌脱臭装置。
【請求項４】
少なくとも４秒ないし８秒、好ましくは、５秒ないし７秒、最も好ましくは６．３秒に１点滅を繰り返す間接照明装置を具備してなることを特徴とする請求項１ないし請求項３に記載の香料拡散及び抗菌脱臭装置。
【考案の詳細な説明】
【技術分野】
【０００１】
本考案は、先に本考案者が出願登録した実用新案登録第３１３２３２２号に記載の通り、１点滅の間接照明を取付けた香料拡散装置に、被験者がアロマカードを挿入して、香りを発生させると共に、アルファー波発生を促す音楽を聴きながらアロマテラピー効果、ミュージックセラピー効果を、得ながら呼吸リズムの習得が出来る香料拡散装置に、更に、脱臭機構を具備して、異臭のみならず、防カビ効果も可能な香料拡散及び抗菌脱臭装置に関する。
【背景技術】
【０００２】
従来の香気装置はアロマオイルを調合する手間を要し、アロマオイル調合もオイルの量や、方法も、非常に難しく、なかなか普及しづらい面があった。
【０００３】
【特許文献１】実用新案登録第３１３２３２２号公報
【考案の開示】
【考案が解決しようとする課題】
【０００４】
そこで本考案者は、先に、実用新案第３１３２３２２号にてその考案をした。更に、ホテルや病院では、脱臭・細菌等の防カビ・防菌の必要性がある。脱臭器  液晶電波時計  音響装置と個々にはあるが、全てを一つに装備したものは見当たらない。
【０００５】
そこで、先の香気拡散装置に、オゾン、光触媒、イオン、ゼオライト、活性炭の少なくとも１つ以上を組み合わせた脱臭機構を付加した装置が求められている。
【課題を解決するための手段】
【０００６】
本考案１及び２は、マイクロカプセルに充填した香料微粒子を付着させたカードと、同カードに付着させた上記マイクロカプセルを破壊して、該マイクロカプセルに充填した香料微粒子を拡散する機構を具備した香料拡散装置において、オゾン、光触媒、イオン、ゼオライト、活性炭の少なくとも１つ以上を組み合わせた脱臭機構を具備してなることを特徴とする香料拡散及び抗菌脱臭装置である。
本考案３は、本考案１及び２の香料拡散装置に、予め収録されたアルファー波発生を促す音響装置を具備してなることを特徴し、本考案４は、本考案１及び２の香料拡散装置に、少なくとも４秒ないし８秒、好ましくは、５秒ないし７秒、最も好ましくは６．３秒に１点滅を繰り返す間接照明装置を具備してなることを特徴とする香料拡散及び抗菌脱臭装置である。
【考案の効果】
【０００７】
本考案に係る香料拡散及び抗菌脱臭装置は、以上のように構成したので、手軽に音楽を聴きながら、アロマテラピー効果とミュージックセラピー効果を得ながら、かつ、人間本来の呼吸リズムを取り戻すため、人間の呼吸リズムを修正すると共に、清涼な部屋で快適な時間を過ごすことを目的とした装置で、オゾン脱臭器を具備した場合は、部屋に充満している数々の臭いをオゾンで取り除き、且つ雑菌も消去させ綺麗な空間を作り出すことが可能となり、更に清浄化された環境で香料微粒子を拡散することにより、よりアロマテラピー効果を高めることが出来た。
【考案を実施するための最良の形態】
【０００８】
本考案は、手軽に音楽を聴きながら、アロマテラピー効果とミュージックセラピー効果を得ながら、かつ、人間本来の呼吸リズムを取り戻すため、人間の呼吸リズムを修正する為に開発したものである。本来人間の穏やかな時の１日の呼吸回数は、１３,６８０回といわれている。そこで、本考案者は、図４（人間の呼吸リズムを修正するための１点滅を繰り返す間接照明時間説明図）に示すように、本来人間の穏やかな時の呼吸は６．３秒（±０．５秒）であることに注目して、本考案に係る香料拡散装置に少なくとも４秒ないし８秒、好ましくは、５秒ないし７秒、最も好ましくは６．３秒に１点滅を繰り返す間接照明装置を取付けた。以下に限定理由を記載説明する。１点滅を繰り返す間接照明時間が、４秒ないし８秒の範囲以外では、ストレスが溜まり易い不具合がある。人間の呼吸サイクル６．３秒に１回の、最良状態にする為に、この装置では被験者を香りと音楽で、リラックス状態に誘導し、間接照明の６．３秒に１回の点滅で最も良い状態に導く香料拡散装置で、オゾン脱臭器を具備した場合は、部屋に充満している数々の臭いをオゾンで取り除き、且つ雑菌も消去させ綺麗な空間を作り出すことが可能となり、更に清浄化された環境で香料微粒子を拡散することにより、よりアロマテラピー効果を高めることが出来た。
【実施例】
【０００９】
本考案に係る香料拡散及び抗菌脱臭装置Ｂを、図１と図２を参照して以下説明する。    図３に図示する脱臭装置ＯＮ・ＯＦＦスイッチ５をＯＮにすると、脱臭・抗菌装置１３が作動し、脱臭・抗菌・オゾン発生体９が働き、脱臭を開始する。脱臭装置空気取り入れ口１２より雑臭や雑菌を吸収し、脱臭・抗菌・オゾン発生体９を空気が通過する事により雑臭、雑菌が消滅し空気を清浄化して、拡散ファン６にて香気及び脱臭吹出し口１より空気を吹出させて対流させて脱臭殺菌する装置である。図中の符号８は、香料拡散及び抗菌脱臭装置の主制御基盤を示す。次にアロマカード挿入口４よりアロマカードＡを挿入すると同時に、脱臭・抗菌装置１３が動作を停止し、カプセル香料破壊ブラシ１１がマイクロカプセル化香料微粒子が付着したアロマカードＡの香料を破壊し拡散ファン６にて香気及び脱臭吹出し口１より香料を拡散する。アロマカード挿入口４の奥のアロマカード用リミットスイッチ１０が入り、間接照明ＬＥＤ７が６,３秒の点滅を開始する。音響装置本体２の操作に依り穏やかな音楽が聴け、又液晶電波時計３を具備している為、正確な時間を確認出来、脈拍の測定にも非常に役立ち健康管理として利用出来る利便性を有する。なお、収録音楽は全て日本音楽著作権協会の許諾を得ている。更に、脱臭・抗菌器１３（脱臭・抗菌・オゾン発生体９）を具備した場合は、部屋に充満している数々の臭いをオゾンで取り除き、且つ雑菌も消去させ綺麗な空間を作り出すことが可能となり、更に清浄化された環境で香料微粒子を拡散することにより、よりアロマテラピー効果を高めることが出来た。
【図面の簡単な説明】
【００１０】
【図１】本考案に係る香料拡散及び抗菌脱臭装置に挿入するアロマカードを示す図
【図２】本考案に係る香料拡散及び抗菌脱臭装置の操作パネル面を示す正面図
【図３】図２のaーa線矢視の内部説明図
【図４】人間の呼吸リズムを修正する為の１点滅を繰り返す間接照明時間説明図
【符号の説明】
【００１１】
（Ａ）アロマカード
（Ｂ）香料拡散及び抗菌脱臭装置
（Ｃ）香料拡散及び抗菌脱臭装置内部
（１）香気及び脱臭吹出し口
（２）音響装置本体
（３）液晶電波時計
（４）アロマカード挿入口
（５）脱臭装置ＯＮ・ＯＦＦスイッチ
（６）拡散ファン
（７）間接照明ＬＥＤ
（８）制御基盤
（９）脱臭・抗菌・オゾン発生体
（１０）アロマカード用リミットスイッチ
（１１）カプセル香料破壊ブラシ
（１２）脱臭装置空気取り入れ口
（１３）脱臭・抗菌装置
【図２】
0003139515.tif 000003
【図３】
0003139515.tif 000004
【図１】
0003139515.tif 000005
【図４】
0003139515.tif 000006